(57)【要約】【課題】  帯状のリストバンドにおいて、着け外しが簡単で且つ強固に係着でき、更に多彩な用途に使用できるリストバンドを提供する。【解決手段】  帯状本体部2と、該帯状本体部2の両端に互いを着脱自在に固定する固定手段を設けてなるリストバンド1であって、該固定手段はスナップボタン3によって構成され、帯状本体部2の一端に雄スナップボタン31が、他端に雌スナップボタン35が設けられることを特徴とするリストバンド1とする。【選択図】図１
0003126676.tif 000002
【実用新案登録請求の範囲】
【請求項１】
帯状本体部と、該帯状本体部の両端に互いを着脱自在に固定する固定手段を設けてなるリストバンドであって、
該固定手段はスナップボタンによって構成され、帯状本体部の一端に雄スナップボタンが、他端に雌スナップボタンが設けられる
ことを特徴とするリストバンド。
【請求項２】
前記固定手段は、前記帯状本体部の両端に各々複数個設けてなることを特徴とする請求項１に記載のリストバンド。
【請求項３】
前記固定手段は、２個又は３個の雄スナップボタンが帯状本体部の一端に並設して設けられ、他端に同数の雌スナップボタンが設けられてなることを特徴とする請求項１又は２に記載のリストバンド。
【請求項４】
前記雄スナップボタンと雌スナップボタンは、その係着部が互いに帯状本体部の逆の面に位置するように設けられ、且つ並設するスナップボタンは各々等間隔として配置されていることを特徴とする請求項２又は３に記載のリストバンド。
【請求項５】
前記帯状本体部の両端周縁がそれぞれ半円形に丸みを帯びて形成されることを特徴とする請求項１乃至４のいずれかに記載のリストバンド。
【請求項６】
種々の模様シートが前記帯状本体部の表面に貼着されていることを特徴とする請求項１乃至５のいずれかに記載のリストバンド。
【考案の詳細な説明】
【技術分野】
【０００１】
本考案はリストバンドに関し、更に詳しくは、帯状のリストバンドであって、着け外しが簡単で且つ強固に係着でき、更に多彩な用途に使用できるリストバンドに関する。
【背景技術】
【０００２】
リストバンドは、ファッションとして手首に着けたり、医療機関などで個人を識別するために使用される。例えば、装飾用のリストバンドとして、環状のシリコン製リストバンドや、曲げ加工したスリット入りの金属板の両端をひねりによって開口して手首等に着けるブレスレットなどがある。
【０００３】
また、プラスチック製のリストバンドであって、帯状部材の一端に該帯状部材の幅よりも細い先端部分を有し、その根元から少し離れた後側に、切り込みを備えた第１の開口部と、該第１の開口部の後側に第２の開口部を備え、帯状部材の他端に該帯状部材の幅よりも細い先端部分を有し、その根元から少し離れた後側の帯状部材の横側に切り欠き部を設け、装着の際に、該第１の開口部に他端の先端部分を表側から挿入し、第２の開口部の裏側から表側へ挿入して切り欠き部を第１の開口部に係止させて使用する装飾用リストバンドが提案されている（例えば、特許文献１参照）。
【特許文献１】実用新案登録第３０６８４９１号公報
【考案の開示】
【考案が解決しようとする課題】
【０００４】
従来のリストバンドは、手首等に着ける用途のみであり、また帯状のリストバンドは、上記の方法や面ファスナー等によって両端を係着させているので、外からの負荷がかかると係着部分が外れやすく、また片手で着け外ししにくかった。
【０００５】
そこで本考案は、帯状のリストバンドにおいて、着け外しが簡単で且つ強固に係着でき、更に多彩な用途に使用できるリストバンドを提供することを目的としている。
【課題を解決するための手段】
【０００６】
本考案は、帯状本体部と、該帯状本体部の両端に互いを着脱自在に固定する固定手段を設けてなるリストバンドであって、該固定手段はスナップボタンによって構成され、帯状本体部の一端に雄スナップボタンが、他端に雌スナップボタンが設けられることを特徴とするリストバンドに関する。スナップボタンは帯状本体部の両端に複数個設けることが好ましい。
【０００７】
スナップボタンは、２個又は３個の雄スナップボタンが帯状本体部の一端に並設して設けられ、他端に同数の雌スナップボタンが設けられることとし、該雄スナップボタンと雌スナップボタンは、その係着部が互いに帯状本体部の逆の面に位置するように設けられ、且つ並設するスナップボタンは各々等間隔として配置されることとする。
【０００８】
また、前記帯状本体部の両端周縁はそれぞれ半円形に丸みを帯びて形成されることとし、種々の模様シートを前記帯状本体部の表面に貼着することとする。
【考案の効果】
【０００９】
本考案のリストバンドは、帯状であり両端にスナップボタンを設けているため、着け外しが容易であり両端を強固に係着できる。また、様々な色のリストバンドを複数個使用して環状の状態で連結して装飾に用いたり、雄スナップボタンと他のリストバンドの雌スナップボタンを連結して大きな環状バンドにして使用するなど、多彩な用途に使用できる。
【考案を実施するための最良の形態】
【００１０】
本考案のリストバンド1は、帯状本体部2と、該帯状本体部2の両端に互いを着脱自在に固定する複数の固定手段を設けてなり、該固定手段はスナップボタン3によって構成され、帯状本体部2の一端に雄スナップボタン31が、他端に雌スナップボタン35が設けられ、帯状本体部2の両端周縁がそれぞれ半円形に丸みを帯びて形成されている。
【実施例】
【００１１】
以下、本考案のリストバンドの実施形態について図面に基づき、詳細に説明する。
図１は、本考案に係るリストバンドの正面斜視図であり、図２は、図１のリストバンドを閉じた状態の斜視図である。図３は、図１のリストバンドを複数個連結した図であり、図４は、複数個連結したリストバンドを環状にした図である。図５は、本考案に係るリストバンドを手首に装着した状態を示す図である。図６及び図７は、本考案に係るリストバンドの使用形態を示す図である。
【００１２】
本考案のリストバンド1は、帯状の本体部2に、複数の固定手段をその両端に設けて構成される。帯状本体部2は、リストバンド1を手首などに装着した際に直接肌に触れるため、肌触りの良い素材のものとし、ポリエステルやナイロンなどの合成繊維からなる布や不織布などから作製する。
【００１３】
帯状本体部2は、図１に示したように、帯状に形成され、例えば、幅が１ｃｍ〜５ｃｍ程度、長さが１８ｃｍ〜２５ｃｍ程度の薄厚の帯状に形成されている。その形態はデザインや使用用途により種々変更可能とされる。帯状本体部2の端部は、半円形に丸みを帯びるように加工されており、これにより、端部が肌に接触した場合でも肌に傷をつけることがない。
【００１４】
帯状本体部2の両端には、互いを着脱自在に固定する固定手段が設けられている。本考案において固定手段は帯状本体部2の一端と他端とを係止可能な手段であれば良く、例えば、スナップボタン3によって構成する。図１及び図２に示したように、帯状本体部2の一端に雄スナップボタン31を、他端に雌スナップボタン35を設け、互いを係着して固定し、環状のリストバンドとする。
【００１５】
スナップボタン3は、図１に示すように、係着部が環状のボタンで、環状の突出部34を有する係着部32を備えた雄スナップボタン31と、該突出部34の外径と略同径の内径を有する環状の突出部を有する係着部（図示しない）を備えた雌スナップボタン35とで構成されている。雄スナップボタン31の係着部32と雌スナップボタン35の係着部（図示しない）は、互いに帯状本体部2の逆の面に位置するように設けられている。また、それぞれの係着部が取り付けられた帯状本体部2の面の裏面には、ボタンカバー33,36（図４参照）が、該係着部と帯状本体部2を間にして噛み合うように固定されている。
【００１６】
スナップボタン3は複数個取り付け、帯状本体部2の長さ等を考慮して２〜３個程度取り付ける。例えば、図１に示したように、２個の雄スナップボタン31と２個の雌スナップボタン35をそれぞれ帯状本体部2の両端に、その長手方向に並設する。また、３個以上のスナップボタン3を取り付ける場合は、並設するスナップボタン3の間隔が等間隔となるように配置する。
【００１７】
スナップボタン3を複数個設けることで、図２に示したように、帯状本体部2の長手方向の縁辺部分をずれることなく平行にした状態で係着することができる。また、複数個のスナップボタン3が取り付けられていることで環状にしたときの径を自由に調節することができる。
【００１８】
更に、帯状本体部2の表面には、図１に示したように、種々の模様シート4を貼着し、装飾を施している。例えば、ホットメルト系の熱可塑性合成樹脂による接着層を有した模様シート4を帯状本体部2の表面に配置し、模様シート4の上面側からアイロンなどをあてて熱圧着により貼着する。帯状本体部2の色と、模様シート4の図柄や配置により、バラエティに富んだリストバンドとすることができる。
【００１９】
このように構成したリストバンド1を、例えば、図５ａに示したように手首に装着して使用する。装着の仕方としては、リストバンド1を帯状の状態で手首にあて、もう片方の手の指でリストバンド1の両端を引き寄せて雄スナップボタン31の係着部32と雌スナップボタン35の係着部を合わせて互いの外側から力を加えて嵌め合わせて係着させる。
【００２０】
本考案のリストバンド1は、帯状にて本体部2を形成し、その両端に雄スナップボタン31と雌スナップボタン35の係着部が互いに反対の面に位置するようにしてスナップボタン3を備えているため、図３に示したように、雄スナップボタン31と他のリストバンド1の雌スナップボタン35を係着させて帯状本体部2の表面が連続して並んだ状態でリストバンド1を連結することができ、また、図４に示したように、複数連結したリストバンド1の端部どうしを互いに係着することで、大きな環状のバンドを作成することができる。
【００２１】
また、複数個のリストバンド1を互いの端部で係着させる変形例として、例えば、図５ｂに示したように、２本のリストバンドを用いて、一方の雄スナップボタン31を他方の雌スナップボタン35と連結し、これを二重に手首に巻き付けて、両端の雄スナップボタン31と雌スナップボタン35を互いに係着させて使用することもできる。
【００２２】
複数のリストバンド1を帯状のままで互いに連結して使用することで、複数個のリストバンド1をそれぞれ手首に装着するのとは違った立体感を与えることができる。また、互いに色の異なるリストバンドを使用することにより、色の組み合わせのバリエーションも増え、目で見ても楽しむことができる。
【００２３】
また、別の実施形態として、図６に示したように、足首に装着してアンクルバンドとして使用することもできる。また、図７に示したように、環状にしたリストバンド1を連結してリース状にし、飾り付けなどに使用することもできる。
【００２４】
その他に、例えば、かばんの持ち手部分に通して、装飾や他者の所有物との区別をつける目的で使用することもできる。
【００２５】
また、帯状本体部2はスナップボタン3により係着されているため、重なった端部のうち上側の端部を外方向に軽く引っ張ることにより、簡単にスナップボタン3の係着を開放することができ、着け外しが容易に行える。
【００２６】
また、本考案において、ある程度の幅のあるリストバンド1とした場合は、スナップボタン3を幅方向に並べて取り付けることもできる。
【図面の簡単な説明】
【００２７】
【図１】本考案に係るリストバンドの正面斜視図である。
【図２】図１のリストバンドを閉じた状態の斜視図である。
【図３】図１のリストバンドを複数個連結した図である。
【図４】複数個連結したリストバンドを環状にした図である。
【図５】本考案に係るリストバンドを手首に装着した状態を示す図である。
【図６】本考案に係るリストバンドの使用形態を示す図である。
【図７】本考案に係るリストバンドの使用形態を示す図である。
【符号の説明】
【００２８】
１      リストバンド
２      帯状本体部
３      スナップボタン
４      模様シート
３１    雄スナップボタン
３２    係着部
３３    ボタンカバー
３４    突出部
３５    雌スナップボタン
３６    ボタンカバー
【図１】
0003126676.tif 000003
【図２】
0003126676.tif 000004
【図３】
0003126676.tif 000005
【図４】
0003126676.tif 000006
【図５】
0003126676.tif 000007
【図６】
0003126676.tif 000008
【図７】
0003126676.tif 000009